(57)【要約】【課題】この発明は、簡単な構造でエレベータの操作パネルの不用意な脱落を確実に防止できる操作パネルの取付具、およびエレベータの操作装置を提供することを課題とする。【解決手段】操作パネル２０をエレベータ乗り籠の壁１に取り付ける取付具１０は、脱落防止金具１２と板バネ１４を含む。金具１２は、操作パネル２０を嵌め込む収納ボックス２の下端壁２−２に形成された係合孔２ｂに係合する係合爪を有する。金具１２に重ねて取り付けられる板バネ１４は、収納ボックス２の係合孔２ｂに係合して孔の縁を押圧するバネ部を有する。【選択図】      図１
2011051790.tif 000002
【特許請求の範囲】
【請求項１】
エレベータの各階乗り場の壁または乗り籠の壁に埋設した収納凹部に操作パネルを嵌め込んで取り付けるため上記操作パネルの下端近くの裏面側から上記収納凹部に向けて突設された取付具であって、
上記操作パネルを上記収納凹部に嵌め込んだ状態で、上記収納凹部の開口下端縁に当接して上記操作パネルの重量を支える支え部と、
上記操作パネルを上記収納凹部に嵌め込んだ状態で、上記収納凹部の下端壁に形成された係合孔に係合して該係合孔の縁を押圧するバネ部と、
上記収納凹部に嵌め込まれた状態の上記操作パネルを上記収納凹部から引き抜く方向に外力が作用したとき、上記係合孔の上記開口側の縁に係合して上記操作パネルの脱落を防止する脱落防止爪と、
を有することを特徴とする操作パネルの取付具。
【請求項２】
上記バネ部は、上記支え部および脱落防止爪を有する金具とは別体の板バネによって形成されていることを特徴とする請求項１に記載の操作パネルの取付具。
【請求項３】
上記支え部、バネ部、および脱落防止爪は、１枚の板バネを折り曲げて形成されていることを特徴とする請求項１に記載の操作パネルの取付具。
【請求項４】
エレベータの各階乗場の壁または乗り籠の壁に埋設した収納凹部に嵌め込んで取り付けられる操作パネルと、
この操作パネルの下端近くの裏面側から上記収納凹部に向けて突設された取付具と、を有し、
上記取付具は、
上記操作パネルを上記収納凹部に嵌め込んだ状態で、上記収納凹部の開口下端縁に当接して上記操作パネルの重量を支える支え部と、
上記操作パネルを上記収納凹部に嵌め込んだ状態で、上記収納凹部の下端壁に形成された係合孔に係合して該係合孔の縁を押圧するバネ部と、
上記収納凹部に嵌め込まれた状態の上記操作パネルを上記収納凹部から引き抜く方向に外力が作用したとき、上記係合孔の上記開口側の縁に係合して上記操作パネルの脱落を防止する脱落防止爪と、
を有することを特徴とするエレベータの操作装置。
【請求項５】
上記バネ部は、上記支え部および脱落防止爪を有する金具とは別体の板バネによって形成されていることを特徴とする請求項４に記載のエレベータの操作装置。
【請求項６】
上記支え部、バネ部、および脱落防止爪は、１枚の板バネを折り曲げて形成されていることを特徴とする請求項４に記載のエレベータの操作装置。
【発明の詳細な説明】
【技術分野】
【０００１】
この発明は、エレベータの乗り籠を昇降移動させるための操作パネルを乗り籠の壁や各階乗場の壁に取り付けるための取付具、およびこの取付具を用いたエレベータの操作装置に関する。
【背景技術】
【０００２】
エレベータの各階乗場の壁や乗り籠の壁には、乗り籠を昇降路に沿って各階乗場へ昇降移動させるため乗客が操作する操作パネルが取り付けられている。近年、乗り籠内の操作パネルとして、人が立った状態で操作するものと、車椅子に乗った人や小さな子供が操作し易いように比較的下の方に設置したものが知られている。
【０００３】
比較的下の方に取り付けられている操作パネルには、不用意に足が当たったりショッピングカートがぶつかったりして想定以上の大きな衝撃が加わり、最悪の場合、乗り籠が揺れて壁から表示パネルが脱落してしまう可能性がある。
【０００４】
一方、乗り籠内に設置した操作パネルは、定期的に壁から取り外して点検する対象となっている。つまり、この操作パネルは、取外し可能な構造を有する。反面、この操作パネルには、上述したような理由から、不所望な振動が加わったときに脱落し難くする工夫が必要である。
【０００５】
このように、操作パネルの脱落を防止するための工夫として、例えば、下記特許文献１に開示された装置が知られている。  
この特許文献１の装置は、壁に埋設したボックスに対して表示パネルを嵌め込んだり引き抜いたりするときに、ボックスの内壁を押圧して摩擦力を作用させることで表示パネルをボックス内に抜け落ち困難に嵌合せしめるための略コの字状の板バネを有する。また、この装置は、板バネの押圧力だけでは脱落を防止できないため、ボックスの内壁に、板バネに形成した係止孔に係合する突起を有する。
【先行技術文献】
【特許文献】
【０００６】
【特許文献１】特開平９−８６８１３号公報
【発明の概要】
【発明が解決しようとする課題】
【０００７】
しかし、上述した従来の装置では、操作パネルを壁のボックスに嵌め込むときの摩擦力より操作パネルをボックスから取り外すときの摩擦力を強くすることができる反面、上述したような強い衝撃が加えられた際には、操作パネルの脱落を確実に防止することはできない。
【０００８】
この発明の目的は、簡単な構造でエレベータの操作パネルの不用意な脱落を確実に防止できる操作パネルの取付具、およびエレベータの操作装置を提供することにある。
【課題を解決するための手段】
【０００９】
上記目的を達成するため、本発明の操作パネルの取付具は、エレベータの各階乗り場の壁または乗り籠の壁に埋設した収納凹部に操作パネルを嵌め込んで取り付けるため上記操作パネルの下端近くの裏面側から上記収納凹部に向けて突設されたものであり、上記操作パネルを上記収納凹部に嵌め込んだ状態で、上記収納凹部の開口下端縁に当接して上記操作パネルの重量を支える支え部と、上記操作パネルを上記収納凹部に嵌め込んだ状態で、上記収納凹部の下端壁に形成された係合孔に係合して該係合孔の縁を押圧するバネ部と、上記収納凹部に嵌め込まれた状態の上記操作パネルを上記収納凹部から引き抜く方向に外力が作用したとき、上記係合孔の上記開口側の縁に係合して上記操作パネルの脱落を防止する脱落防止爪と、を有する。
【００１０】
上記発明によると、操作パネルを収納凹部に嵌め込んだ状態で、取付具の支え部が操作パネルの重量を支え、取付具のバネ部が収納凹部の係合孔の縁に係合してガタツキを防止し、取付具の脱落防止爪が操作パネルの脱落を防止する。このため、簡単な構造の取付具を用いて操作パネルの不用意な脱落を確実に防止することができる。
【００１１】
また、本発明のエレベータの操作装置は、エレベータの各階乗場の壁または乗り籠の壁に埋設した収納凹部に嵌め込んで取り付けられる操作パネルと、この操作パネルの下端近くの裏面側から上記収納凹部に向けて突設された取付具と、を有し、上記取付具は、上記操作パネルを上記収納凹部に嵌め込んだ状態で、上記収納凹部の開口下端縁に当接して上記操作パネルの重量を支える支え部と、上記操作パネルを上記収納凹部に嵌め込んだ状態で、上記収納凹部の下端壁に形成された係合孔に係合して該係合孔の縁を押圧するバネ部と、上記収納凹部に嵌め込まれた状態の上記操作パネルを上記収納凹部から引き抜く方向に外力が作用したとき、上記係合孔の上記開口側の縁に係合して上記操作パネルの脱落を防止する脱落防止爪と、を有する。
【発明の効果】
【００１２】
この発明のエレベータの操作装置、および操作パネルの取付具は、上記のような構成および作用を有しているので、簡単な構造でエレベータの操作パネルの不用意な脱落を確実に防止できる。
【図面の簡単な説明】
【００１３】
【図１】図１は、この発明の第１の実施の形態に係る取付具を用いて操作パネルを乗り籠の壁に取り付けた状態を示す断面図である。
【図２】図２は、図１の取付具を示す分解斜視図である。
【図３】図３は、図１の操作パネルを嵌め込むため壁に埋設した収納ボックスを示す斜視図である。
【図４】図４は、図１の操作パネルを裏面側から見た背面図である。
【図５】図５は、この発明の第２の実施の形態に係る取付具を示す斜視図である。
【図６】図６は、図５の取付具を用いて操作パネルを乗り籠の壁に取り付けた状態を示す要部断面図である。
【発明を実施するための形態】
【００１４】
以下、図面を参照しながらこの発明の実施の形態について詳細に説明する。  
図１には、この発明の第１の実施の形態に係る取付具１０を用いて、エレベータの乗り籠（図示せず）を所望する階に移動させるべく乗客が操作する操作パネル２０を、乗り籠の壁１に埋設した収納ボックス２（収納凹部）に嵌め込んで取り付けた状態の断面図を示してある。また、図２には、取付具１０の脱落防止金具１２と板バネ１４を分離した状態の分解斜視図を示してある。さらに、図３には、収納ボックス２だけの斜視図を示してあり、図４には、操作パネル２０を裏面側から見た背面図を示してある。
【００１５】
図４に示すように、操作パネル２０は、乗り籠の壁１の比較的低い位置に取り付けられる横長タイプのものである。この操作パネル２０は、ここでは図示を省略した複数の電子部品を収容したボックス部２０ａと、乗客が操作するここでは図示を省略した各種ボタンや表示部を表面側に備えたパネル部２０ｂと、を有する。図１に示すように、ボックス部２０ａは、パネル部２０ｂの裏面側に突出して取り付けられている。パネル部２０ｂは、ボックス部２０ａよりサイズが大きく、ボックス部２０ａを壁１の中に埋設した収納ボックス２内に収納配置した状態で、乗り籠の壁１に形成した矩形の開口部１ａを塞ぐ大きさの矩形板状に形成されている。
【００１６】
一方、開口部１ａを形成した乗り籠の壁１の裏面側には、操作パネル２０のボックス部２０ａを収納するための収納ボックス２が取り付けられている。収納ボックス２の開口部は、壁１の開口部１ａと略同じサイズに形成されており、開口部同士が一致するように取り付けられている。収納ボックス２は、１枚の板金を図３のように形状加工して折り曲げて矩形の凹所を形成しており、壁１の裏面に対向する上下２つのフランジ部２−４には、それぞれ、壁１の裏面側から突設されたスタッドボルト２１を挿通するための複数の取付孔２ａが形成されている。
【００１７】
より具体的には、収納ボックス２は、４辺それぞれから立ち上げられた上壁２−１、下壁２−２、および横壁２−３を有し、上壁２−１および下壁２−２をＬ字形に折り曲げたフランジ部２−４に上述した複数の取付孔２ａが形成されている。そして、壁１の開口部１ａ周辺の裏面側から突設した複数本のスタッドボルト２１を収納ボックス２の複数の取付孔２ａに挿通し、フランジ部２−４の裏側からナット２１ａを締結することで、収納ボックス２を壁１の裏側に固定している。
【００１８】
また、収納ボックス２は、その周囲の４つの壁それぞれに、操作パネル２０を取り付けるための後述する矩形の係合孔２ｂを有する。つまり、収納ボックス２の上側の壁２−１には３つの係合孔２ｂが形成され、互いに対向する２つの横壁２−３にはそれぞれ２つずつの係合孔２ｂが形成されている。そして、収納ボックス２の下端壁２−２には、中央の１つの係合孔２ｂの他に、操作パネル２０の背面側から延びた複数本のケーブル２２を通すための２つの孔２ｃが形成されている。
【００１９】
上記のように収納ボックス２には、複数の孔が開けられているため、水や埃の進入を防止する目的で、収納ボックス２の外側には、図１に示すように、一周りサイズの大きいボックス５が取り付けられている。このボックス５は、例えば、接着剤などを用いて乗り籠の壁１の裏面側に固定されている。なお、このボックス５の下端壁には、ケーブル２２を挿通するための孔５ａが形成されている。
【００２０】
図４に示すように、操作パネル２０の取り付けには、本実施の形態の取付具１０の他に複数（本実施の形態では７つ）の板バネ１４を使用する。本実施の形態では、単独で使用する複数の板バネ１４として、取付具１０の板バネ１４と同じものを使用した。具体的には、１つの取付具１０を操作パネル２０のパネル部２０ｂの背面側の下端縁近くの中央部から突設し、パネル部２０ｂの上端縁に沿って３つの板バネ１４を突設し、パネル部２０ｂの左右縁に沿ってそれぞれ２つずつ板バネ１４を突設した。つまり、操作パネル２０の裏面側に突設した取付具１０および板バネ１４は、収納ボックス２に形成した複数の係合孔２ｂに対向する位置にそれぞれ取り付けられている。
【００２１】
図２に示すように、取付具１０および複数の板バネ１４は、操作パネル２０のパネル部２０ｂの周縁部から裏面側に突設された複数のスタッドボルト２３（図１）を挿通する２つの取付孔２５をそれぞれ有する。つまり、これら取付具１０および複数の板バネ１４は、図１に示すように、取付孔２５にスタッドボルト２３を挿通してナット２４で締結することで、パネル部２０ｂの裏面に取り付けられる。なお、操作パネル２０のパネル部２０ｂの上端辺および左右辺に取り付けた板バネ１４は、取付具１０の板バネ１４と同じものであるため、ここでは、これら単独で取り付ける板バネ１４の構造および取付方法についての詳細な説明は省略する。
【００２２】
以下、操作パネル２０の下端近くに取り付けられた取付具１０について詳細に説明する。  
本実施の形態の取付具１０は、図２に示すように、コ字状に折り曲げられた脱落防止金具１２（以下、単に金具１２と称する）と、この金具１２の内側に重ねて取り付けられる板バネ１４と、を有する。上述したように、これら金具１２および板バネ１４の基端部には、操作パネル２０のパネル部２０ｂから突設したスタッドボルト２３を挿通するための、互いに同軸に重なる２つの取付孔２５がそれぞれ形成されている。
【００２３】
金具１２は、図１に示すように操作パネル２０を収納ボックス２に嵌め込んだ状態で、壁１の開口部１ａの下端開口縁に当接して操作パネル２０の重量を支える支え部１２ａ、および図１の状態で収納ボックス２の下端壁２−２に形成した中央の係合孔２ｂに係合する係合爪１２ｂ（脱落防止爪）を有する。係合爪１２ｂは、図１の状態から操作パネル２０が収納ボックス２から引き抜かれる方向に外力を受けたときに、係合孔２ｂの開口部１ａ側の縁に係合して、操作パネル２０の脱落を防止するよう機能する。
【００２４】
板バネ１４は、図１に示すように操作パネル２０を収納ボックス２に嵌め込んだ状態で、収納ボックス２の下端壁２−２に形成された係合孔２ｂに係合するバネ部１４ａを有する。バネ部１４ａは、１枚の弾性変形可能な金属板を山形に折り曲げて形成されており、板バネ１４を弾性変形させた状態でその斜面１４ｂを係合孔２ｂの縁に押圧せしめる。本実施の形態では、バネ部１４ａの斜面１４ｂを係合孔２ｂの開口部１ａ側の縁に押圧せしめて、操作パネル２を収納ボックス２方向に押し込むに付勢している。これにより、操作パネル２０のガタツキを防止できる。
【００２５】
或いは、ここでは図示していないが、操作パネル２０を収納ボックス２に嵌め込んだ状態で、弾性変形させた状態の板バネ１４のバネ部１４ａの反対側の斜面１４ｂを係合孔２ｂの反対側の縁（壁１の奥側の縁）に押圧せしめて、操作パネル２０の下端側を収納ボックス２から引き出す方向に付勢するようにしても良い。この場合、上述した金具１２の係合爪１２ｂを係合孔２ｂの手前側の縁に押し付けることができ、操作パネル２０の脱落を防止する効果をより期待できる。
【００２６】
上述した構造の取付具１０を備えた操作パネル２０を乗り籠の壁１に取り付ける場合、操作パネル２０の上端を収納ボックス２方向に傾けて操作パネル２０の上端側に取り付けた３つの板バネ１４を収納ボックス２内に挿入し、それぞれ対応する係合孔２ｂに係合せしめる。この状態では、金具１２の係合爪１２ｂが邪魔して、操作パネル２０の下端側に取り付けた取付具１０は収納ボックス２内に挿入できない。
【００２７】
この後、操作パネル２０を上方に僅かに持ち上げて上端側に取り付けた３つの板バネ１４を弾性変形させ、上端側を支点にして操作パネル２０を回転させ、下端側の取付具１０を収納ボックス２内に挿入する。このとき、取付具１０の板バネ１４が弾性変形してバネ部１４ａが係合孔２ｂに係合し、バネ部１４ａの手前側の斜面１４ｂが係合孔２ｂの手前側の縁に押圧される。また、このとき、操作パネル２０の左右縁に取り付けた複数の板バネ１４も、それぞれ対応する収納ボックス２の係合孔２ｂに係合する。
【００２８】
そして、この状態で、操作パネル２０をその自重によって下方に僅かに移動させると、金具１２の係合爪１２ｂが係合孔２ｂの手前側の縁に係合するとともに、金具１２の支え部１２ａが壁１の開口部１ａの下端縁に当接する。このとき、操作パネル２０を下に下げることで、板バネ１４の変形がさらに大きくなり、係合爪１２ｂを係合孔２ｂに係合させた状態で、バネ部１４ａの斜面１４ｂが係合孔２ｂの手前側の縁に押圧接触される。
【００２９】
一方、操作パネル２０を点検のため収納ボックス２から取り外す場合、操作パネル２０を上方に僅かに持ち上げて上端側の３つの板バネ１４を弾性変形させ、取付具１０を収納ボックス２から引き出す。このとき、操作パネル２０を上方に持ち上げることで、取付具１０の係合爪１２ｂが係合孔２ｂから外れ、操作パネル２０の引き抜きが可能となる。
【００３０】
以上のように、本実施の形態によると、２ピースの部材（金具１２と板バネ１４）を重ね合わせてパネル部２０ｂの裏面に締結固定するだけの簡単な構造によって、操作パネル２０の重量を支える機能、ガタツキを防止する機能、および脱落を防止する機能を付与することができる。これにより、例えば、乗り籠の壁１にカートが衝突した場合など強い衝撃が加えられた場合であっても、操作パネル２０が収納ボックス２から脱落する不具合を防止できる。
【００３１】
図５には、この発明の第２の実施の形態に係る取付具３０の外観斜視図を示してある。また、図６には、この取付具３０を用いて操作パネル２０を収納ボックス２に嵌め込んだ状態の要部断面図を示してある。  
この取付具３０は、１ピースの弾性変形可能な金属板に２つの取付孔２５を形成して複数回折り曲げただけで形成できる。つまり、本実施の形態の取付具３０は、上述した第１の実施の形態の取付具１０よりさらに簡単な構造を有する。この取付具３０も、上述した第１の実施の形態の取付具１０と同様に、操作パネル２０のパネル部２０ｂの下端辺近くに締結固定され、第１の実施の形態の取付具１０と同様に機能する。
【００３２】
本実施の形態の取付具３０は、この取付具３０をパネル部２０ｂに締結固定した操作パネル２０を収納ボックス２内に嵌め込んだ状態（図６の状態）で、壁１の開口部１ａの下端縁に当接して操作パネル２０の重量を支える支え部３２、収納ボックス２の下端壁２−２に形成された係合孔２ｂに係合して縁部を押圧するバネ部３４、および嵌め込まれた状態の操作パネル２０に引き抜く方向の外力が作用したときに操作パネル２０の脱落を防止するための係合爪３６（脱落防止爪）を有する。
【００３３】
本実施の形態の取付具３０を用いた場合であっても、上述した第１の実施の形態の取付具１０を用いた場合と同様の効果を奏することができ、上述したように部品点数を削減できたことから、構成を簡略化することができたことでコスト低減の効果を奏することができ、且つ取付具３０の取付作業をより簡単にできる。
【００３４】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【００３５】
例えば、上述した実施の形態では、取付具１０、３０を操作パネル２０の下端辺近くに１つだけ取り付けた場合について説明したが、これに限らず、パネル部２０ｂの周縁部に沿って何処に取り付けても良く、取り付ける個数も任意に設定できる。
【産業上の利用可能性】
【００３６】
この発明は、エレベータの乗り籠や乗場に設置した操作装置、および操作パネルの取付具に関する。
【符号の説明】
【００３７】
１…壁、１ａ…開口部、２…収納ボックス、２ｂ…係合孔、２ｃ…孔、５…ボックス、１０、３０…取付具、１２…脱落防止金具、１２ａ、３２…支え部、１２ｂ、３６…係合爪、１４…板バネ、１４ａ、３６…バネ部、２０…操作パネル、２１、２３…スタッドボルト、２２…ケーブル、２４…ナット、２５…取付孔。
【図１】
2011051790.tif 000003
【図２】
2011051790.tif 000004
【図３】
2011051790.tif 000005
【図４】
2011051790.tif 000006
【図５】
2011051790.tif 000007
【図６】
2011051790.tif 000008